(57)【要約】【課題】原稿移動方式で画像読取が行われる場合に、プラテン上の汚れが副走査方向に沿って延びる直線上のスジとなって表れる現象を防止でき、１つの画像読取手段で原稿固定方式と原稿移動方式の両方式に対応でき、さらには、原稿移動方式においても画像を鮮明に読み取ることができる原稿読取装置を提供すること。【解決手段】原稿読取装置は、原稿を原稿搬送路に沿って搬送する原稿送り手段と、搬送されてきた原稿の画像を読み取る画像読取手段と、画像読取手段と搬送される原稿との間に介在する有端で長尺状の透明シートと、透明シートを原稿の搬送方向と平行な方向に移動させる透明シート移動手段とを備え、透明シート移動手段は所定の間隔を空けて配置され透明シートを送り出して巻き取る一対の第１リールと第２リールとを有し、透明シートは第１および第２リールの間で搬送される原稿と共に移動する。【選択図】図１
2006253908.tif 000002
【特許請求の範囲】
【請求項１】
原稿を原稿搬送路に沿って搬送する原稿送り手段と、搬送されてきた原稿の画像を読み取る画像読取手段と、画像読取手段と搬送される原稿との間に介在する有端で長尺状の透明シートと、透明シートを原稿の搬送方向と平行な方向に移動させる透明シート移動手段とを備え、透明シート移動手段は所定の間隔を空けて配置され透明シートを送り出して巻き取る一対の第１リールと第２リールとを有し、透明シートは第１および第２リールの間で搬送される原稿と共に移動する原稿読取装置。
【請求項２】
画像読取手段は、搬送される原稿を支える透明な支持板と、原稿の画像を走査するために走査光を発する光源とを備え、支持板には原稿の搬送方向と直交する方向に沿って所定幅で延びる開口部が形成され、光源から照射された走査光は開口部を通過し透明シートを介して原稿に照射される請求項１に記載の原稿読取装置。
【請求項３】
透明シートは少なくとも原稿と対向する表面がフッ素系樹脂又はシリコーン系樹脂からなる請求項１又は２に記載の原稿読取装置。
【請求項４】
フッ素系樹脂が四フッ化エチレン樹脂である請求項３に記載の原稿読取装置。
【請求項５】
透明シートは原稿と対向する表面に帯電防止処理が施されてなる請求項１〜４のいずれか１つに記載の原稿読取装置。
【請求項６】
原稿送り手段は、搬送すべき原稿が載置される原稿載置台と、原稿載置台に載置された原稿の厚さを測定して載置された原稿の枚数を推定する原稿枚数測定センサとを備え、透明シート移動手段は、原稿枚数測定センサによって推定された原稿の枚数が所定の枚数以下である場合に、原稿の搬送速度よりも遅い速度で透明シートを移動させる請求項１〜５のいずれか１つに記載の原稿読取装置。
【請求項７】
透明シート移動手段は、第１リールから送り出された透明シートが全て第２リールに巻き取られた際に、第１および第２リールの回転方向を逆転させ第２リールから第１リールへ向かって透明シートを送り出す請求項１〜６のいずれか１つに記載の原稿読取装置。
【請求項８】
請求項１に記載の原稿読取装置に着脱自在に装着される部品であって、有端で長尺状の透明シートと、一対の第１リールおよび第２リールと、第１および第２リールを回転可能に保持する筐体とを備え、透明シートは両端が第１および第２リールにそれぞれ固定されたうえで第１リールに巻き取られてなる透明シートカートリッジ。
【請求項９】
透明シートは少なくともその表面がフッ素系樹脂又はシリコーン系樹脂からなる請求項８に記載の透明シートカートリッジ。
【請求項１０】
フッ素系樹脂が四フッ化エチレン樹脂である請求項９に記載の透明シートカートリッジ。
【請求項１１】
透明シートは表面に帯電防止処理が施されてなる請求項８〜１０のいずれか１つに記載の透明シートカートリッジ。
【発明の詳細な説明】
【技術分野】
【０００１】
この発明は、原稿読取装置とそれに装着される透明シートカートリッジに関し、詳しくは、原稿を自動的に搬送しつつ原稿の画像を読み取る原稿読取装置とそれに装着される透明シートカートリッジに関する。
【背景技術】
【０００２】
この発明に関連する従来技術としては、自動的に原稿を搬送しつつその原稿の画像を読み取る原稿読取装置であって、原稿搬送路と、原稿搬送路の所定位置に配設され原稿の画像を読み取る画像読取手段と、画像読取手段の周囲に回動可能に設けられ搬送される原稿と一緒に回転する透明な回転保護部材とから構成される原稿読取装置が知られている（例えば、特許文献１参照）。
【０００３】
また、同様の従来技術としては、自動的に原稿を搬送しつつその原稿の画像を読み取る原稿読取装置であって、原稿搬送路と、原稿搬送路の所定位置に配設され原稿の画像を読み取る画像読取手段と、搬送される原稿と画像読取手段との間に介在し一対のリールによって巻き回される無端状の透明シートとから構成される原稿読取装置が知られている（例えば、特許文献２参照）。
【特許文献１】特開２００２−２４７２９４号公報
【特許文献２】特開２００４−３５７１６０号公報
【発明の開示】
【発明が解決しようとする課題】
【０００４】
複写機等に設けられる原稿読取装置の画像読取方式としては、一般的に原稿固定方式と原稿移動方式の２つが挙げられる。
原稿固定方式では、透明なプラテン上にユーザーが原稿を載置し、プラテンの下に設けられた光源、ミラー群、レンズおよびＣＣＤから構成される画像読取手段（以下、「縮小光学系の画像読取手段」と称する）のうち、光源とミラー群を原稿に対して移動させながら原稿の画像を走査し、ミラーから反射してきた走査光をレンズを介してＣＣＤに結像させ、原稿の画像を電子化する。
一方、原稿移動方式では、自動原稿送り装置（以下、「ＡＤＦ」と称する）によって搬送され透明なプラテン上を通過する原稿に対し、縮小光学系の画像読取手段のうち、光源とミラー群を静止させた状態で原稿の画像を走査し、画像の読取を行う。
【０００５】
原稿移動方式は、ＡＤＦの原稿載置台にユーザーが読取を希望する原稿を載置し、スタートキーを押すだけで、原稿が自動的に搬送され原稿の画像読取が行われるので、ユーザーにとっては原稿固定方式よりも便利である。
しかし、原稿移動方式では、プラテン上に何らかの汚れが付着していると、読み取られた画像データにプラテン上の汚れが原稿の副走査方向（原稿の搬送方向）に沿って直線状に延びるスジとして表れてしまう。
【０００６】
なお、プラテン上に汚れが付着する原因は様々であるが、なかでも油性インクが用いられた原稿を原稿移動方式で連続的に読み取る場合に付着し易い。
というのは、油性インクが用いられた原稿を原稿移動方式で連続的に読み取ると、プラテンに対して原稿が連続的に摺擦されるため、摩擦熱によってプラテンが熱をもち、熱を受けて軟化した油性インクがプラテン上に汚れとして付着してしまうのである。
【０００７】
特許文献１に記載のものでは、画像読取手段を収容した透明な回転保護部材が搬送される原稿と一緒に回転し、回転保護部材が画像読取面（プラテン）の役割を果たすため、回転保護部材に汚れが付着していても画像読取面は常に新しい面に更新されることとなり、読み取られた画像データにおいて、回転保護部材に付着した汚れが直線状のスジとなって表れることが防止される。
【０００８】
しかし、搬送される原稿を一緒に回転する透明な回転保護部材に画像読取手段が収容されているため、原稿移動方式には対応できるが、原稿に対して画像読取手段の移動が必要となる原稿固定方式には対応できない。
このため、原稿固定方式用に別の画像読取手段を設ける必要があり、コストの面からみて好ましくない。
【０００９】
一方、特許文献２に記載のものでは、透明シートが一対のリールによって巻き回され、透明シートが画像読取面（プラテン）の役割を果たすため、透明シートに汚れが付着していても、画像読取面は常に新しい面に更新されることとなり、読み取られた画像データにおいて透明シートに付着した汚れが直線状のスジとなって表れることが防止される。
【００１０】
しかし、透明シートは無端状であって一対のリールによって巻き回されることから、画像読取手段の光源から発せられた走査光は透明シートを２回透過してから原稿を照射することとなり、さらに、原稿から反射された走査光も透明シートを２回透過してからミラーに達することとなる。
このため、走査光が透明シートを透過する度に減衰し、画像の鮮明度や明るさの調整などの点で課題が残る。
【００１１】
この発明は以上のような事情を考慮してなされたものであり、原稿移動方式で画像読取が行われる場合に、プラテン上の汚れが副走査方向に沿って延びる直線上のスジとなって表れる現象を防止でき、１つの画像読取手段で原稿固定方式と原稿移動方式の両方式に対応でき、さらには、原稿移動方式においても画像を鮮明に読み取ることができる原稿読取装置を提供するものである。
【課題を解決するための手段】
【００１２】
この発明は、原稿を原稿搬送路に沿って搬送する原稿送り手段と、搬送されてきた原稿の画像を読み取る画像読取手段と、画像読取手段と搬送される原稿との間に介在する有端で長尺状の透明シートと、透明シートを原稿の搬送方向と平行な方向に移動させる透明シート移動手段とを備え、透明シート移動手段は所定の間隔を空けて配置され透明シートを送り出して巻き取る一対の第１リールと第２リールとを有し、透明シートは第１および第２リールの間で搬送される原稿と共に移動する原稿読取装置を提供するものである。
【発明の効果】
【００１３】
この発明によれば、画像読取手段と搬送される原稿との間に透明シートが介在し、この透明シートは透明シート移動手段によって搬送される原稿と共に移動させられるので、透明シートは画像読取手段に対して常に新しい面に更新されることとなり、透明シートに汚れが付着しても、この汚れが読み取られた画像データにおいて直線状のスジとなって表れることを防止できる。
【００１４】
また、直線状のスジを防止する手段が搬送される原稿と共に移動する透明シートであることから、画像読取手段と透明シートとの間には物理的な相関関係がなく画像読取手段は透明シートに対して移動可能であるため、１つの画像読取手段で原稿固定方式と原稿移動方式に対応できる。
【００１５】
さらに、透明シートが有端であって所定の間隔を空けて配置された第１リールと第２リールの間で送り出され巻き取られるので、画像読取手段と原稿との間には１枚の透明シートしか介在しないこととなり、鮮明な画像を読み取ることができる。
【発明を実施するための最良の形態】
【００１６】
この発明による原稿読取装置は、原稿を原稿搬送路に沿って搬送する原稿送り手段と、搬送されてきた原稿の画像を読み取る画像読取手段と、画像読取手段と搬送される原稿との間に介在する有端で長尺状の透明シートと、透明シートを原稿の搬送方向と平行な方向に移動させる透明シート移動手段とを備え、透明シート移動手段は所定の間隔を空けて配置され透明シートを送り出して巻き取る一対の第１リールと第２リールとを有し、透明シートは第１および第２リールの間で搬送される原稿と共に移動することを特徴とする。
【００１７】
この発明による原稿読取装置において、原稿送り手段とは、原稿搬送路に沿って原稿を搬送できるものであればよく、その構成は特に限定されないが、具体例としては、公知の自動原稿送り装置（ＡＤＦ）を挙げることができる。
画像読取手段とは、搬送されてくる原稿の画像を走査し電子的な画像データに変換できるものであればよく、その構成は特に限定されないが、例えば、走査光を発する光源、ミラー群、レンズ、ＣＣＤとから構成される縮小光学系の画像読取手段を挙げることができる。
【００１８】
透明シートは、有端で長尺状のものであればよく、特にその材質や形状は限定されないが、例えば、原稿の主走査方向と同じかそれ以上の幅を有し、
厚さ２５〜２００μｍ程度、長さ１０〜２００ｍ程度で摺動性に優れた材質からなるものが好ましい。
透明シート移動手段を構成する第１リールと第２リールは、透明シートを原稿の搬送方向と平行な方向に移動させるために所定の間隔を空けて配置されたものであればよく、その構成は特に限定されない。
なお、透明シートの移動速度は、必ずしも原稿の搬送速度と同じである必要はなく、場合によっては、原稿の搬送速度よりも遅い速度で移動させられてもよい。
【００１９】
この発明による原稿読取装置において、画像読取手段は、搬送される原稿を支える透明な支持板と、原稿の画像を走査するために走査光を発する光源とを備え、支持板には原稿の搬送方向と直交する方向（主走査方向）に沿って所定幅で延びる開口部が形成され、光源から照射された走査光は開口部を通過し透明シートを介して原稿に照射されることが好ましい。
【００２０】
このような構成によれば、光源から発せられた走査光は、開口部を通過し透明シートのみを介して原稿に照射されるので、走査光の減衰や散乱を極力抑えて鮮明な画像を読み取ることができる。
なお、開口部の幅に特に制限はないが、好ましくは副走査方向、つまり原稿の搬送方向に約２〜３ｍｍである。
というのは、２ｍｍよりも狭く設定すると、実際の製品の組立て精度によっては光源から発せられた走査光の一部が開口部でけられてしまう恐れがあるからである。一方、３ｍｍよりも広くなると透明シートが開口部で撓み、原稿を所定の位置で支持できなくなる恐れがある。
【００２１】
この発明による原稿読取装置において、透明シートは少なくともその表面がフッ素系樹脂又はシリコーン系樹脂からなることが好ましい。
このような構成によれば、透明シートの表面の摩擦係数が低くなり摺動性に優れたものとなることから、透明シートを原稿の搬送速度よりも遅い速度で移動させた場合でも、透明シートが原稿との摩擦によって熱を帯びることが防止され、原稿の油性インク等が透明シートに付着することを防止できる。
【００２２】
透明シートの表面がフッ素系樹脂又はシリコーン系樹脂からなる上記構成において、フッ素系樹脂が用いられる場合、フッ素系樹脂は四フッ化エチレン樹脂（ＰＴＦＥ）であることが好ましい。
というのは、ＰＴＦＥは、摩擦係数が極めて低く（あらゆる固体の中で最小）、さらには耐熱性に優れているため（２６０℃で長期の使用が可能）、透明シートの表面を構成する材料として好適であるからである。
【００２３】
この発明による原稿読取装置において、透明シートは原稿と対向する表面に帯電防止処理が施されていることが好ましい。
このような構成によれば、透明シートが原稿の搬送速度よりも遅い速度で移動させられ、原稿と透明シートが互いに摺擦される状態となっても透明シートが摩擦帯電せず、塵芥が透明シートに静電吸着されることを防止できる。この結果、透明シートが汚れにくくなり、良好な画像読取を行うことができる。
【００２４】
なお、帯電防止処理には、透明シートを作製する際に例えば、ポリエチレンオキシドなどのイオン導電化材を配合する方法や、作製された透明シートの表面に例えば、カチオン活性剤などの帯電防止材をコーティングする方法などが挙げられる。
また、上述の透明シートの表面がフッ素系樹脂又はシリコーン系樹脂で構成されたものである場合、原稿との摩擦そのものが極力抑えられるので、特に帯電防止処理を施さなくても透明シートの摩擦帯電が防止される。
【００２５】
この発明による原稿読取装置において、原稿送り手段は、搬送すべき原稿が載置される原稿載置台と、原稿載置台に載置された原稿の厚さを測定して載置された原稿の枚数を推定する原稿枚数測定センサとを備え、透明シート移動手段は、原稿枚数測定センサによって推定された原稿の枚数が所定の枚数以下である場合に、原稿の搬送速度よりも遅い速度で透明シートを移動させてもよい。
【００２６】
このような構成によれば、透明シートが、第１又は第２リールから送り出され、第２又は第１リールに全て巻き取られるまでの時間を長くすることができるので、結果として透明シートの消費が抑えられ、原稿読取装置の稼動時間を長くすることができる。
なお、この場合、透明シートの移動速度が原稿の搬送速度よりも遅くなるので、当然、原稿と透明シートは互いに摺擦される状態となり、透明シートは摩擦熱によってある程度の熱を帯びることとなるが、所定の枚数以下であれば、摩擦熱によって原稿の油性インクが透明シートに付着するなどの悪影響は最小限に抑えられる。
【００２７】
また、透明シートに汚れが付着していれば、原稿の搬送速度と透明シートの移動速度に差があることから、読み取られた画像データにおいて透明シートの汚れが直線状のスジに延びて表れることとなるが、透明シートが停止するわけではないので、スジの距離は短くて済み、無視できる程度のものとなる。
しかし、透明シートの移動速度を極端に遅くすると直線状のスジをなくす効果が薄らいでしまうため、原稿の搬送速度に対して透明シートの移動速度を遅くする場合であっても、透明シートの移動速度は原稿の搬送速度の１／３〜原等速の範囲内で設定されることが好ましい。
【００２８】
この発明による原稿読取装置において、透明シート移動手段は、第１リールから送り出された透明シートが全て第２リールに巻き取られた際に、第１および第２リールの回転方向を逆転させ第２リールから第１リールへ向かって透明シートを送り出してもよい。
このような構成によれば、透明シートが第１又は第２リールに全て巻き取られ次第、第１及び第２リールの回転方向を逆転させて透明シートを巻き戻すので、透明リールの残量に係わりなく常に原稿読取装置を稼動状態とすることができる。
【００２９】
この場合、巻き戻し時には原稿の搬送方向と逆方向に透明シートが移動することとなるが、透明シートの表面が摩擦係数の小さな摺動性に優れたものであれば、原稿と透明シートとの摺擦による摩擦は無視できる程度のものとなり、透明シートが摩擦によって熱を帯びる恐れはない。
また、原稿の搬送方向と逆方向に透明シートが移動するので、透明シート上の汚れが、読み取られた画像データにおいて、若干、直線状に延びたスジとなって表れることとなるが、その長さは短いので無視できる程度のものとなる。
なお、画像品質を最優先するのであれば、透明シートの巻き戻し時には画像読取を一時休止させる設定としてもよい。
【００３０】
この発明は別の観点からみると、上述のこの発明による原稿読取装置に用いられる部品であって、有端で長尺状の透明シートと、一対の第１リールおよび第２リールと、第１および第２リールを回転可能に保持する筐体とを備え、透明シートは両端が第１および第２リールにそれぞれ固定されたうえで第１リールに巻き取られてなる透明シートカートリッジを提供するものでもある。
【００３１】
つまり、この発明による上記の原稿読取装置において、透明シートは消耗品であるため、透明シートの汚れ具合によって交換されることが好ましい。
このような観点からして、透明シートと第１および第２リールをカートリッジ化し、該カートリッジが原稿読取装置に対して着脱可能となるように構成されていれば、原稿読取装置のメンテナンスが容易になる。
【００３２】
この発明による上記の透明シートカートリッジにおいて、透明シートは少なくともその表面がフッ素系樹脂又はシリコーン系樹脂からなることが好ましい。その理由は原稿読取装置の説明で述べた通りである。
このような構成からなる透明シートカートリッジにおいて、フッ素系樹脂が用いられる場合、フッ素系樹脂は四フッ化エチレン樹脂であることが好ましい。その理由は原稿読取装置の説明で述べた通りである。
【００３３】
また、この発明による上記の透明シートカートリッジにおいて、透明シートは表面に帯電防止処理が施されていることが好ましい。その理由は原稿読取装置の説明で述べた通りである。
【００３４】
以下、図面に示す実施例に基づいてこの発明を詳細に説明する。
【実施例】
【００３５】
この発明の実施例による原稿読取装置について図１に基づいて説明する。
図１は実施例による原稿読取装置１００の概略的な断面図を示している。
【００３６】
図１に示されるように、概して、実施例による原稿読取装置１００は、原稿を原稿搬送路４に沿って搬送する自動原稿送り装置（以下、「ＡＤＦ」と称する）２０と、搬送されてきた原稿の画像を読み取る画像読取手段３０と、画像読取手段３０と搬送される原稿Ｄとの間に介在する有端で長尺状の透明シート４０と、透明シート４０を原稿の搬送方向と平行な方向に移動させる透明シート移動手段５０とを備え、透明シート移動手段５０は所定の間隔を空けて配置され透明シート４０を送り出して巻き取る一対の第１リール５１と第２リール５２とから構成され、透明シート４０は第１および第２リール５１，５２の間で搬送される原稿Ｄと共に移動するように構成されている。
【００３７】
図１に示される原稿読取装置１００は複写機（図示せず）の上部に設けられるもので、上述の通り、原稿搬送路４に沿って自動的に原稿を搬送するＡＤＦ２０と、画像読取手段３０と、透明シート４０と、透明シート４０を移動させる第１および第２リール５１，５２とから主に構成されている。
【００３８】
ＡＤＦ２０は、原稿載置台１に載置された原稿を１枚ずつＡＤＦ２０の内部へ呼び込む呼び込みローラ２と、原稿の重ね送りを防止するための摺接部材３、呼び込まれた原稿を案内する原稿搬送路４と、原稿搬送路４への入紙を検出する入紙センサ５、原稿読取部７への給紙タイミングを調節するレジストローラ６、搬送ローラ８、画像読取を終えた原稿を排紙トレイ１４へ排出する排紙ローラ９とから主に構成されている。
【００３９】
また、ＡＤＦ２０は、上記構成に加え、両面読取を可能とするための、揺動板１０、中間トレイ１１およびスイッチバック搬送路１２を備えている。
両面読取が行われる場合、原稿読取部７にて表面側の画像が読み取られた原稿Ｄは、下側のホームポジションに移動した揺動板１０に案内されながら中間トレイ１１上に排出される。
この際、原稿Ｄの後端は可逆回転可能な排紙ローラ９によってチャックされ、逆回転する排紙ローラ９によってスイッチバック搬送路１２へ送り出されて表裏が反転され、レジストローラ６を経て再び原稿読取部７を通過する。
【００４０】
表裏が反転した状態で原稿読取部７を通過した原稿Ｄは搬送ローラ８、排紙ローラ９、揺動板１０を経て再び中間トレイ１１上に排出され、原稿の後端が排紙ローラ９によってチャックされる。
その後、逆回転する排紙ローラ９によって再びスイッチバック搬送路１２へ送り出されて表裏が反転され、原稿搬送路４に沿って搬送された後、上側のホームポジションに移動した揺動板１０に案内されて排紙トレイ１４上に排紙される。
【００４１】
つまり、両面読取が行われる場合、原稿は１回目に原稿読取部７を通過する際に表面側の画像が読み取られ、２回目に原稿読取部７を通過する際に裏面側の画像が読み取られる。
３回目に原稿読取部７を通過する際には画像の読取は行われない。３回目の搬送は、原稿載置台１に載置された通りの順番で排紙トレイ１４に原稿Ｄを排紙するための空送りと呼ばれる搬送で、これによって原稿Ｄの表裏が元通りに整えられてから排紙トレイ１４上に排紙されることとなる。
【００４２】
画像読取手段３０は、光源３１、第１ミラー３２、第２ミラー３３、第３ミラー３４、レンズ３５、ＣＣＤ３６とから主に構成され、原稿読取部７に相当する位置に原稿移動方式用の第１プラテンガラス６０が配置されている。
原稿移動方式用の第１プラテンガラス６０は、主走査方向（原稿の搬送方向と直交する方向）に沿って延びる３ｍｍ幅の開口部６０ａが形成され、原稿搬送路４に露出する表面側が透明シート４０で覆われている。
【００４３】
透明シート４０は有端の長尺状であって、一対の第１リール５１と第２リール５２の間で送り出されて巻き取られることにより第１プラテンガラス６０の表面上を摺動する。
なお、図２に示されるように、透明シート４０はポリエチレンテレフタレート（ＰＥＴ）からなる厚さ２５μｍの基材フィルム４０ａの表面上に、摩擦係数が極めて低いＰＴＦＥからなる摺動層４０ｂが膜厚２μｍ程度にわたってコーティングされたものである。
平面寸法は、Ａ３サイズの原稿に対応できるように幅が３２０ｍｍで、長さが５０ｍである。
【００４４】
図１に示されるように、光源３１から発せられた走査光Ｌは第１プラテンガラス６０の開口部６０ａを通過し、透明シート４０を介して原稿Ｄに照射され、原稿から反射した走査光Ｌは透明シート４０を介して第１ミラー３２に入射した後、第２および第３ミラー３３，３４によって順次光路変換され、レンズ３５を介してＣＣＤ３６に結像し、電子的な画像データに変換される。
【００４５】
このような読取が行われる際、透明シート４０は第１および第２リール５１，５２の間で送り出されて巻き取られ、原稿Ｄと共に搬送方向に向かって移動するので、従来の課題であったプラテンガラス上の汚れが直線状に延びるスジとなって表れる現象が防止される。
すなわち、透明シート４０の移動速度Ｄが原稿の搬送速度と同じである場合、透明シート４０に付着した汚れは、単なる汚れとして読み取られるので、読み取られた画像データにおいて、透明シート４０に付着した汚れが直線状に延びるスジとして表れることはない。
【００４６】
また、光源３１から発せられた走査光Ｌは、第１プラテンガラス６０を透過することなく、透明シート４０のみを介して原稿Ｄに照射されるので、走査光Ｌの減衰や散乱が極力抑えられ、鮮明な画像を読み取ることができる。
【００４７】
透明シート４０が第１リール５１から送り出され第２リール５２に全て巻き取られると、第１リール５１と第２リール５２は自動的に回転方向が逆転し、こんどは第２リール５２から透明シート４０が送り出され第１リール５１に巻き取られる。
この際、透明シート４０は原稿Ｄの搬送方向と逆方向に移動するので、原稿Ｄと透明シート４０は互いに摺擦する状態となるが、上述の通り、透明シート４０はその表面が摩擦係数の極めて低いＰＴＦＥからなる摺動層４０ｂ（図２参照）によってコーティングされているので、摩擦によって透明シート４０が熱を帯びることはない。
したがって、油性インクなどが用いられた原稿Ｄであっても、それが乾燥している限り、透明シート４０に付着することはない。
また、原稿Ｄと透明シート４０との摩擦が極力抑えられることから、透明シート４０が摩擦帯電し、塵芥を静電吸着してしまうこともない。
【００４８】
ＡＤＦ２０の原稿載置台１には載置された原稿の厚さを測定する原稿枚数測定センサ１３が設けられており、図示しない制御部は原稿枚数測定センサ１３の出力に基づいて、原稿載置台１に載置された原稿Ｄの枚数を推定する。
透明シート４０の移動速度は、基本的に原稿Ｄの搬送速度と等速となるように設定されるが、制御部は原稿載置台１に載置された原稿Ｄが１０枚以下であると判断した場合に、透明シート４０の移動速度を原稿Ｄの搬送速度の１／３に設定変更する。
これは、原稿Ｄが１０枚以下であれば、原稿Ｄが連続搬送されても透明シート４０との摩擦による発熱の影響が少なくて済むことを利用し、透明シート４０の消耗を抑え、透明シートの交換サイクルを長くすることを目的とするものである。
【００４９】
図３に示されるように、ＡＤＦ２０は第１プラテンガラス６０以外に、原稿固定方式用の第２プラテンガラス７０を備えている。
ユーザーが原稿固定方式を選択した場合には、ユーザーの手によって第２プラテンガラス７０上に原稿（図示せず）が載置され、画像読取手段３０によって画像の読取が行われる。
この際、光源３１、第１〜第３ミラー３２，３３，３４は、図１に示される原稿移動方式で原稿Ｄの画像を読み取る場合のホームポジションから、図３に示される原稿固定方式で原稿Ｄの画像を読み取る場合のホームポジションに移動する。
【００５０】
その後、ユーザーから画像読取開始の要求がなされると、光源３１と第１ミラー３２は原稿に対して所定の速度で副走査方向に移動しながら原稿を走査し、これと同時に第２および第３ミラー３３，３４は、光源３１および第１ミラー３２の移動速度の１／２の速度で副走査方向に移動し、原稿移動方式と同様に原稿から反射されてきた走査光Ｌをレンズ３５を介してＣＣＤ３６に結像させる。
このように、実施例による原稿読取装置１００は、１つの画像読取手段３０で原稿移動方式と原稿固定方式の両方式に対応している。
【００５１】
ところで、透明シート４０は繰り返し使用されるにしたがって、その表面に徐々に汚れが付着していく。
このため、汚れの付着が著しく目立つようになり、これが画像品質に影響を及ぼすようになった場合には、透明シート４０を交換する必要がある。
図４に示されるように、透明シート４０は透明シートカートリッジ８０に収容されており、使用済みの透明シートカートリッジ８０を原稿読取装置１００（図１参照）から取り外し、新しい透明シートカートリッジ８０を原稿読取装置１００に装着することにより、透明シート４０の交換が容易に行えるように構成されている。
【００５２】
図４に示される透明シートカートリッジは、透明シート４０と、第１および第２リール５１，５２と、第１および第２リール５１，５２を回転可能に保持する筐体８１とから構成され、透明シート４０は両端が第１および第２リール５１，５２に固定されたうえで第１リール５１に巻き取られている。
【図面の簡単な説明】
【００５３】
【図１】この発明の実施例による原稿読取装置の概略的な断面図である。
【図２】透明シートの断面を示す断面図である。
【図３】実施例による原稿読取装置の概略的な断面図であり、原稿固定方式で原稿の画像を読み取る場合の光源および第１〜第３ミラーのホームポジションを示している。
【図４】図１に示される原稿読取装置に着脱自在に装着される透明シートカートリッジを示す斜視図である。
【符号の説明】
【００５４】
１・・・原稿載置台
２・・・呼び込みローラ
３・・・摺接部材
４・・・原稿搬送路
５・・・入紙センサ
６・・・レジストローラ
７・・・原稿読取部
８・・・搬送ローラ
９・・・排紙ローラ
１０・・・揺動板
１１・・・中間トレイ
１２・・・スイッチバック搬送路
１３・・・原稿枚数測定センサ
１４・・・排紙トレイ
２０・・・自動原稿送り装置（ＡＤＦ）
３０・・・画像読取手段
３１・・・光源
３２・・・第１ミラー
３３・・・第２ミラー
３４・・・第３ミラー
３５・・・レンズ
３６・・・ＣＣＤ
４０・・・透明シート
４０ａ・・・基材フィルム
４０ｂ・・・摺動層
５０・・・透明シート移動手段
５１・・・第１リール
５２・・・第２リール
６０・・・第１プラテンガラス
６０ａ・・・開口部
７０・・・第２プラテンガラス
８０・・・透明シートカートリッジ
８１・・・筐体
１００・・・原稿読取装置
Ｄ・・・原稿
Ｌ・・・走査光
【図１】
2006253908.tif 000003
【図２】
2006253908.tif 000004
【図３】
2006253908.tif 000005
【図４】
2006253908.tif 000006